(57)【要約】    【課題】給水を簡単に行える食器洗い機を提供すること。    【解決手段】貯水タンク１９の上面壁１９６の前方の両端部には、樋２０を回動可能に取付けるための樋取付け孔１９６ｄがそれぞれ形成されており、左側（図においては、右側）の樋取付け孔１９６ｄには、樋２０が取付けられている。樋２０は、中空の長手形状の部材であって、先端に上方に開放する流入口２０１が形成されており、根元を中心として略水平方向に回動可能である。これにより、流入口２０１が水道の蛇口の下方に位置するように樋２０を回転させれば、樋２０を介して水道からの水を貯水タンク１９に供給することができる。【選択図】            図３
2006158523.tif 000002
【特許請求の範囲】
【請求項１】
食器を収容して洗浄するための洗浄タンクと、
上記洗浄タンクの下方に配置され、上記洗浄タンクに供給するための水を溜めることのできる貯水タンクと、
上記貯水タンクに水を溜める際に使用する樋であって、先端は水の入口とされ、根元は上記貯水タンクに水を与える出口とされ、根元を中心に略水平方向に回動自在に設けられた樋と、を含むことを特徴とする食器洗い機。
【請求項２】
上記樋は、根元を中心に約１８０°回動し得ることを特徴とする請求項１に記載の食器洗い機。
【請求項３】
上記食器洗い機を正面側からみて、上記樋は、その根元を左側または右側に付け換え可能であることを特徴とする請求項１または２に記載の食器洗い機。
【請求項４】
上記洗浄タンクの前面に形成された食器投入口と、
上記食器投入口を開閉自在に覆う扉部と、を備え、
上記樋は、上記食器洗い機を正面側からみて、上記扉部と上記貯水タンクとの間に設けられていることを特徴とする請求項１〜３のいずれかに記載の食器洗い機。
【請求項５】
上記食器洗い機を正面側からみて、上記扉部と上記貯水タンクとの間に配置される操作パネルを備え、
上記樋は、上記貯水タンクと上記操作パネルとの間に設けられていることを特徴とする請求項４に記載の食器洗い機。
【請求項６】
上記貯水タンクに、上記樋の根元が直接に回動自在に取付けられていることを特徴とする請求項１〜５のいずれかに記載の食器洗い機。
【請求項７】
上記貯水タンクは、食器洗い機に対して、前方向へ引き出し可能であることを特徴とする請求項６に記載の食器洗い機。
【請求項８】
上記貯水タンクは、前方向に引き出されたときに露出する水の供給開口が備えられていることを特徴とする請求項７に記載の食器洗い機。
【請求項９】
上記樋の根元には、先端の入口から導かれる水の流路とは別に、パイプ等から供給される水を受け入れるためのパイプ取付孔が形成されていることを特徴とする請求項８に記載の食器洗い機。
【請求項１０】
上記樋の根元には、上方に突出する突起が形成され、当該突起に上記パイプ取付孔が設けられていることを特徴とする請求項９に記載の食器洗い機。
【請求項１１】
上記樋は、上記貯水タンクが満水時に、その先端の入口から水が溢れ出る形状とされていることを特徴とする請求項１〜１０のいずれかに記載の食器洗い機。
【請求項１２】
食器を収容して洗浄するための洗浄タンクと、
上記洗浄タンクの下方に、上記洗浄タンクとは別体に設けられ、上記洗浄タンクに供給するための水を溜めることのできる貯水タンクと、
先端は水の入口とされ、根元は上記貯水タンクに水を与える出口とされ、当該根元が貯水タンクに取付けられ、上記貯水タンクに水を溜める際に使用する樋と、を含み、
上記貯水タンクは、上記貯水タンクに対して前方に引き出し可能とされ、かつ、上記樋は上記貯水タンクに対して回動自在に取付けられていることを特徴とする食器洗い機。
【発明の詳細な説明】
【技術分野】
【０００１】
この発明は、食器洗い機に関する。
【背景技術】
【０００２】
食器洗い機は、通常、給水ホースを水道の蛇口に常時接続しておき、電磁弁によって水道の蛇口から自動的に給水を行う構成になっている。
このため、食器洗い機の設置に際しては、水道の蛇口に分岐水栓を取付けなければならず、設置工事に手間がかかる。また、蛇口の種類によっては、分岐水栓を取付けられないものもあり、設置工事により手間や費用がかかる。
【０００３】
そこで、設置工事を不要とし、簡単に給水ができるようにした食器洗い機として、たとえば、特許文献１に記載の食器洗い機が提案されている。この食器洗い機は、その内部に配置された貯水タンクを引き出し可能な構成とし、貯水タンクを引き出した状態で水道管の蛇口から水を溜めることができるようにされている。
【特許文献１】特開２００３−１８０５９６号公報
【発明の開示】
【発明が解決しようとする課題】
【０００４】
しかしながら、上記特許文献１に記載の食器洗い機では、貯水タンクを引き出した状態で、水道管の蛇口が貯水タンクの上方まで届かない場合には、別タンク等で水を汲み、その別タンクから貯水タンクに水を供給しなければならないといった問題がある。
この発明は、かかる背景のもとになされたもので、給水が簡単に行える食器洗い機を提供することを目的とする。
【０００５】
また、この発明は、設置工事が不要で、手軽に設置ができる食器洗い機を提供することを他の目的とする。
【課題を解決するための手段】
【０００６】
上記目的を達成するための請求項１に記載の発明は、食器（Ｐ）を収容して洗浄するための洗浄タンク（７）と、上記洗浄タンクの下方に配置され、上記洗浄タンクに供給するための水を溜めることのできる貯水タンク（１９）と、上記貯水タンクに水を溜める際に使用する樋（２０）であって、先端は水の入口（２０１）とされ、根元は上記貯水タンクに水を与える出口（２０３）とされ、根元を中心に略水平方向に回動自在に設けられた樋と、を含むことを特徴とする食器洗い機（１）である。
【０００７】
なお、括弧内の英数字は、後述の実施形態における対応構成要素などを表す。以下、この項において同じ。
この構成によれば、樋は、根元を中心に略水平方向に回動自在とされているので、食器洗い機が流し台のまわりに設置された場合に、樋の先端が水道の蛇口の下方に位置するように樋を回転させれば、樋を介して水道からの水を貯水タンクに供給することができる。すなわち、貯水タンクに水を溜める場合には樋を回転させればよいので、簡単に給水を行って貯水タンクに水を溜めることができる。また、水道の蛇口に分岐水栓や電磁弁を取付ける等の設置工事が不要となるので、手軽に設置することができる。
【０００８】
また、請求項２に記載の発明のように、上記樋（２０）が、根元を中心に約１８０°回動し得るものであれば、樋を広範囲にわたって回動させることができる。たとえば、食器洗い機を、その正面が手前側となるようにして流し台の横に設置した場合であっても、樋を回動させることで、樋の先端を水道の蛇口の下方に位置させることができる。よって、より簡単に給水を行って貯水タンクに水を溜めることができる。
【０００９】
請求項３に記載の発明は、上記食器洗い機（１）を正面側からみて、上記樋（２０）は、その根元を左側または右側に付け換え可能であることを特徴とする請求項１または２に記載の食器洗い機である。
この構成によれば、樋は食器洗い機の左側または右側に付け替え可能であるので、確実に樋を介して貯水タンクに水を溜めることができる。たとえば、流し台を正面からみて、食器洗い機を、その正面が手前側となるようにして流し台の左側に設置した場合には、樋を食器洗い機の右側に取付けることで、樋を回動させて、樋の先端を蛇口の下方に位置させることができる。同様に、食器洗い機を、その正面が手前側となるようにして流し台の右側に設置した場合には、樋を食器洗い機の左側に取付けることで、樋を回動させて、樋の先端を蛇口の下方に位置させることができる。よって、確実に樋を介して貯水タンクに水を溜めることができる。
【００１０】
請求項４に記載の発明は、上記洗浄タンク（７）の前面に形成された食器投入口（９）と、上記食器投入口を開閉自在に覆う扉部（３，４）と、を備え、上記樋（２０）は、上記食器洗い機（１）を正面側からみて、上記扉部と上記貯水タンク（１９）との間に設けられていることを特徴とする請求項１〜３のいずれかに記載の食器洗い機である。
この構成によれば、樋は、扉部と貯水タンクとの間に設けられているので、樋を回転させた場合に、樋の先端を、水道の蛇口の下方となる高さ位置に良好に配置することができる。また、樋は、貯水タンクの上方に設けられているので、樋に水を供給することで良好に貯水タンクに水が流れる。よって、貯水タンクに良好に水を供給することができる。
【００１１】
請求項５に記載の発明は、上記食器洗い機（１）を正面側からみて、上記扉部（３，４）と上記貯水タンク（１９）との間に配置される操作パネル（５）を備え、上記樋（２０）は、上記貯水タンクと上記操作パネルとの間に設けられていることを特徴とする請求項４に記載の食器洗い機である。
この構成によれば、樋は、貯水タンクと操作パネルとの間に設けられているので、樋を回転させた場合に、樋の先端を、水道の蛇口の下方となる高さ位置に良好に配置することができる。また、樋は、貯水タンクの上方に設けられているので、樋に水を供給することで良好に貯水タンクに水が流れる。よって、貯水タンクに良好に水を供給することができる。また、樋は、操作パネルの下方に設けられているので、樋に水を供給した際に、樋を介して操作パネルが濡れるのを防ぐことができる。
【００１２】
請求項６に記載の発明は、上記貯水タンク（１９）に、上記樋（２０）の根元が直接に回動自在に取付けられていることを特徴とする請求項１〜５のいずれかに記載の食器洗い機（１）である。
この構成によれば、樋は、貯水タンクに直接に取付けられているので、部品点数を減らすことができ、コストを削減することができる。
【００１３】
請求項７に記載の発明は、上記貯水タンク（１９）は、食器洗い機（１）に対して、前方向へ引き出し可能であることを特徴とする請求項６に記載の食器洗い機である。
この構成によれば、貯水タンクは引き出し可能であるので、水道の蛇口が食器洗い機から遠い位置に存在する場合でも、貯水タンクを引き出した状態で樋を回転させることで、樋の先端を水道の蛇口の下方に位置させることができる。よって、より確実に樋を介して貯水タンクに水を溜めることができる。
【００１４】
請求項８に記載の発明は、上記貯水タンク（１９）は、前方向に引き出されたときに露出する水の供給開口（１９６ａ）が備えられていることを特徴とする請求項７に記載の食器洗い機（１）である。
この構成によれば、貯水タンクには供給開口が形成されているので、貯水タンクを引き出して、貯水タンクの供給開口を水道の蛇口の下方に位置させることで、水道から直接貯水タンクに水を供給することができる。よって、食器洗い機を流し台のまわりに柔軟に設置することができる。
【００１５】
請求項９に記載の発明は、上記樋（２０）の根元には、先端の入口（２０１）から導かれる水の流路とは別に、パイプ等から供給される水を受け入れるためのパイプ取付孔（２０６）が形成されていることを特徴とする請求項８に記載の食器洗い機（１）である。
この構成によれば、樋の根元には、パイプ取付孔が形成されているので、パイプ取付孔にパイプ等を取付けることで、そのパイプ等から流される水を、樋を介して貯水タンクに供給することができる。よって、食器洗い機を流し台のまわりにより柔軟に設置することができる。
【００１６】
請求項１０に記載の発明は、上記樋（２０）の根元に上方に突出する突起（２０５）が形成され、当該突起に上記パイプ取付孔（２０６）が設けられていることを特徴とする請求項９に記載の食器洗い機（１）である。
この構成によれば、パイプ取付孔は、樋から突出する突起に形成されているので、パイプ等を突起に被せるように装着することで、容易にパイプ取付孔にパイプ等を取付けることができる。
【００１７】
請求項１１に記載の発明は、上記樋（２０）は、上記貯水タンク（１９）が満水時に、その先端の入口（２０１）から水が溢れ出る形状とされていることを特徴とする請求項１〜１０のいずれかに記載の食器洗い機（１）である。
この構成によれば、満水時には、樋の先端から水が溢れ出るので、貯水タンクが満水になったことを確実に認識することができる。よって、貯水タンクが満水になったことを検知するためのセンサー等を設ける必要がないので、その構成を簡易なものとすることができ、コストを削減することができる。
【００１８】
請求項１２に記載の発明は、食器（Ｐ）を収容して洗浄するための洗浄タンク（７）と、上記洗浄タンクの下方に、上記洗浄タンクとは別体に設けられ、上記洗浄タンクに供給するための水を溜めることのできる貯水タンク（１９）と、先端は水の入口（２０１）とされ、根元は上記貯水タンクに水を与える出口（２０３）とされ、当該根元が貯水タンクに取付けられ、上記貯水タンクに水を溜める際に使用する樋（２０）と、を含み、上記貯水タンクは、上記貯水タンクに対して前方に引き出し可能とされ、かつ、上記樋は上記貯水タンクに対して回動自在に取付けられていることを特徴とする食器洗い機（１）である。
【００１９】
この構成によれば、樋は、回動自在とされているので、食器洗い機が流し台のまわりに設置された場合に、樋の先端が水道の蛇口の下方に位置するように樋を回転させれば、樋を介して水道からの水を貯水タンクに供給することができる。すなわち、貯水タンクに水を溜める場合には樋を回転させればよいので、給水を簡単に行って貯水タンクに水を溜めることができる。また、貯水タンクは引き出し可能であるので、水道の蛇口が食器洗い機から遠い位置に存在する場合でも、貯水タンクを引き出した状態で樋を回転させることで、樋の先端を水道の蛇口の下方に位置させることができる。よって、より確実に樋を介して貯水タンクに水を溜めることができる。
【発明を実施するための最良の形態】
【００２０】
以下では、この発明の実施の形態を、添付図面を参照して詳細に説明する。
図１は、この発明の一実施形態にかかる食器洗い機１の外観構成を示す斜視図である。以下では、図１における左手前側を前方として、右奥側を後方として説明する。
食器洗い機１は、流し台のシンクのまわりに設置される卓上型のものであって、その外形が略直方体形状の筐体２により形成されている。
【００２１】
筐体２は、たとえば、左右方向の長さ（幅）に比べて前後方向の長さ（奥行き）が短く形成されている。筐体２の前面には、上扉３および下扉４が取り付けられている。
上扉３は、筐体２の前面の上部を、筐体２の幅に渡って覆う扉であって、その上端を中心として回動可能とされている。
下扉４は、筐体２の前面の中央部を、筐体２の幅に渡って覆う扉であって、その下端を中心として回動可能とされている。
【００２２】
また、上扉３は、下扉４の開閉動作と連動するようにされており、下扉４が開閉されるのにともなって開閉する。
下扉４の下方には、運転のための種々の操作をしたり、運転時間を表示したりするための操作パネル５が備えられている。
上扉３および下扉４は、扉部に相当する。この扉部は、本実施形態では、上扉３および下扉４の２枚構成となっているが、これに限定されず、１枚扉または、３枚以上の複数扉であっても良い。また、操作パネル５は、本実施形態では、扉部と貯水タンク１９との間（下扉４の下方で、かつ、貯水タンク１９の上方の位置）に備えられているが、扉部（本実施形態では、上扉３または下扉４）に一体的に組み込んで備えられていても良い。
【００２３】
筐体２の下部には、筐体２に引き出し可能に収容されている貯水タンク１９が備えられている。
貯水タンク１９は、筐体２に収容された状態（図１に示す状態）から、前方に引き出し可能とされている。また、貯水タンク１９には、樋２０が取付けられている（詳しくは、後述する）。
【００２４】
図２は、食器洗い機１を前後方向に延びる鉛直面で切断して右方からみた状態を示す図である。
筐体２の内部には、食器Ｐ等の被洗浄物を洗浄するための洗浄タンク７と、洗浄タンク７の内部に着脱自在に収容されて食器Ｐを保持する食器カゴ８とが備えられている。
洗浄タンク７の前面には、洗浄タンク７内に食器Ｐを出し入れするための食器投入口９が形成されており、食器投入口９は、上扉３および下扉４により覆われている。
【００２５】
食器カゴ８の底部には複数のローラー８１が取付けられており、手前側に引き出すことができるようにされている。
これにより、上扉３および下扉４を開いた状態で食器投入口９を介して、食器カゴ８を、手前側に開いた下扉４の上方に引き出すことができる。そして、引き出した状態の食器カゴ８に食器Ｐを収容し、さらにその食器カゴ８をもとの位置に押し戻すことで、食器Ｐを洗浄タンク７内に収容することができる。
【００２６】
洗浄タンク７の下部には、食器カゴ８の下方から食器Ｐに向けて洗浄水を噴射するための２つのノズルアーム１１が、左右に並べて配置されている（なお、図２においては、ノズルアーム１１は、１つのみ示されている）。これら２つのノズルアーム１１は、共通のノズルベース１２によりそれぞれほぼ水平な面内で回転自在に保持されていて、このノズルベース１２の内部を通って送られてきた洗浄水が、各ノズルアーム１１に備えられた複数のノズル１３から噴射されるようになっている。
【００２７】
洗浄タンク７の底面７１の手前側には、洗浄水を溜めておくための水溜め部７２が、一段低く形成されている。洗浄タンク７内には、後述の貯水タンク１９に溜められた水を導入することができるようにされており、洗浄タンク７内に導入された水は、水留め部７２を含む洗浄タンク７の下部に溜まるようになっている。食器Ｐの洗浄に使用する洗浄水は、たとえば、洗浄タンク７内に洗剤を投入することにより、その洗剤が洗浄タンク７内の水と混ざり合って生成される。
【００２８】
水留め部７２は、吸込み管１４を介して洗浄ポンプ１５に接続されている。そして、洗浄ポンプ１５の吐出口は、吐出管１６を介してノズルベース１２に接続されている。洗浄ポンプ１５は、図示しないモータにより動作するようになっていて、このモータが駆動することにより、洗浄水が水溜め部７２から洗浄ポンプ１５に吸込まれ、ノズルベース１２に向けて送り出される。ノズルベース１２に送られてきた洗浄水は、各ノズルアーム１１を介して複数のノズル１３から噴射される際に、ノズルアーム１１に対して反力を与える。この反力により、各ノズルアーム１１は、ノズル１３から洗浄水を噴射しつつ回転することになる。
【００２９】
ノズルアーム１１から噴射された洗浄水は、再び洗浄タンク７の水留め部７２に溜まり、洗浄ポンプ１５により吸込まれる。このようにして、洗浄タンク７に溜められた洗浄水は、食器洗い機１内で循環されて、食器Ｐの洗浄に使用されるようになっている。
食器Ｐに付着している残滓は、複数のノズル１３から噴射された洗浄水により食器Ｐから分離される。水留め部７２の上方には、残滓フィルタ１８が着脱可能に配置されていて、食器Ｐから分離した残滓は、この残滓フィルタ１８により受け止められ、水留め部７２への流入が阻止されるようになっている。
【００３０】
また、水留め部７２には、洗浄水を機外に排水するための図示しない排水管が接続されており、この排水管には、たとえば、排水ポンプが設けられている。そして、排水ポンプが駆動することにより、排水管を介して洗浄タンク７内の洗浄水が機外に排出されるようにされている。
洗浄タンク７の下方には、中空の略直方体形状である貯水タンク１９が備えられており、貯水タンク１９には貯水タンク１９内に水を溜める際に使用する樋２０が取付けられている。
【００３１】
図３は、樋２０が取付けられた状態の貯水タンク１９の外観構成を示す斜視図である。また、図４は、樋２０が取付けられた状態の貯水タンク１９の平面図であり、図５は、図４に示す貯水タンク１９を切断線Ａ−Ａで切断した状態を示す図である（なお、図５は、図４に示す樋２０を二点鎖線で示す位置に配置した状態で、切断線Ａ−Ａで切断している）。
【００３２】
貯水タンク１９には、前面壁１９１と、前面壁１９１と対向する後面壁１９２と、前面壁１９１および後面壁１９２の右端(図においては、左端)に一体的に接合されている右面壁１９３と、前面壁１９１および後面壁１９２の左端(図においては、右端)に一体的に接合されている左面壁１９４と、前面壁１９１、後面壁１９２、右面壁１９３および左面壁１９４の底部に一体的に接合されている底面壁１９５と、前面壁１９１、後面壁１９２、右面壁１９３および左面壁１９４の上部に着脱自在、いわゆる蓋状のように着脱自在に設けられた上面壁１９６とが備えられている。かかる上面壁１９６を着脱自在とする構成により、貯水タンク１９内が水垢などにより汚れたとき、ユーザは貯水タンク１９を食器洗い機１から取り出し、上面壁１９６を外して、貯水タンク１９内を清掃することができる。
【００３３】
前面壁１９１には、把持部１９１ａが形成されており、把持部１９１ａを掴んで貯水タンク１９を前方に引き出すことができるようにされている。また、後述のオーバーフロー管２２の排出口２２ｂが、前面壁１９１から突出している。
底面壁１９５には、ローラー１９５ａが回動可能に取付けられている。このローラー１９５ａにより、筐体２から貯水タンク１９が良好に引き出し可能とされている。
【００３４】
上面壁１９６の前方側には、平面視略矩形状の供給開口１９６ａが形成されており、その供給開口１９６ａは、第一蓋体１９６ｂにより覆われている。
第一蓋体１９６ｂは、その後端が上面壁１９６に回動可能に取付けられている。また、第一蓋体１９６ｂの先端には、第二蓋体１９６ｃの後端が回動可能に取付けられている。
第二蓋体１９６ｃは、その先端が上面壁１９６と嵌合し得るようにされており(図示せず)、第一蓋体１９６ｂが供給開口１９６ａを覆った状態で、回転することで、上面壁１９６と嵌合して、第一蓋体１９６ｂが供給開口１９６ａを覆った状態をロックするようにされている。また、第二蓋体１９６ｃの上面壁１９６との嵌合状態を外すことで、第一蓋体１９６ｂのロック状態が解除され、第一蓋体１９６ｂを回転させて、供給開口１９６ａを開放することができる。
【００３５】
上面壁１９６の前方の両端部には、樋２０を回動可能に取付けるための樋取付け孔１９６ｄがそれぞれ形成されている。
樋取付け孔１９６ｄは、平面視略円形状とされており、上面壁１９６を貫通している。そして、左側（図においては、右側）の樋取付け孔１９６ｄには、樋２０が取付けられている。また、右側(図においては、左側)の樋取付け孔１９６ｄは、蓋２１が取付けられることにより、液密に塞がれている。
【００３６】
また、貯水タンク１９内には、上面壁１９６の近傍から底面壁１９５に向かって延び、その後、前方に向かって延びるオーバーフロー管２２が設けられている。
オーバーフロー管２２は、その上端が吸込み口２２ａを形成しており、その下端（下端部の前端）に排出口２２ｂが形成されている。
吸込み口２２ａは、底面壁１９５からその先端までの高さがｌ1に保たれている。また、排出口２２ｂは、前面壁１９１から前方に突出している。
【００３７】
樋２０は、中空の長手形状の部材であって、先端に上方に開放する流入口２０１が形成されており、根元部分に下方に突出する取付け部２０２が形成されている。
取付け部２０２は、略円筒形状に下方に突出する形状とされており、その上端が閉塞され、その下端が供給口２０３とされている。また、供給口２０３は、底面壁１９５からその下端までの高さがｌ2に保たれており、ｌ2＜ｌ1とされている。
【００３８】
そして、取付け部２０２にオーリング２０４が介装されて、取付け部２０２が樋取付け孔１９６ｄに回動自在に取付けられている。これにより、樋２０は、取付け部２０２を中心として、略水平方向に回動可能とされ、かつ、取付け部２０２と貯水タンク１９（樋取付け用孔１９６ｄ）との接合部分が液密とされている。
また、取付け部２０２の閉塞された上端には、突起取付け孔２０２ａが形成されており、その突起孔２０２ａに、上下に延びる中空のパイプ取付突起２０５が、鉛直軸線まわりに回動自在に取付けられている。
【００３９】
パイプ取付突起２０５は、管形状の部材であって、取付け部２０２の上端から上方に突出した後、水平方向に突出する形状とされており、その先端にパイプ取付孔２０６が形成されている。これにより、パイプ取付突起２０５は、鉛直軸線まわりに回転することで、パイプ取付孔２０６を種々の方向に向けることができる。また、パイプ取付突起２０５は、その下端が取付け部２０２の内部に臨んでいるので、パイプ取付孔２０６から取付け部２０２内部へと続く一つの流路が構成されている。そして、パイプ取付突起２０５の先端にパイプ等を被せるように取付けることで、パイプ取付孔２０６にパイプ等を接続し、そのパイプ等から水を供給することで、取付け部２０２（樋２０）の内部に水が流される。
【００４０】
このように構成することで、樋２０には、流入口２０１から樋２０内部を介して供給口２０３へと続く流路と、パイプ取付孔２０６から取付け部２０２を介して供給口２０３へと続く流路との２つの流路が形成されている。
図６は、貯水タンク１９を筐体２内に収容した状態で、樋２０を１８０°回転させた状態を示す斜視図である。
【００４１】
図６に示すように、貯水タンク１９を筐体２内に収容した状態で、樋２０を回動させると、樋２０は、その縁の部分が筐体２に接するため、水平方向に約１８０°の範囲の中で回動可能とされている。
たとえば、流し台を正面からみて、食器洗い機１を、その正面が手前側となるようにして流し台の左側に設置した場合には、図６に示すように、樋２０を正面側からみて右回りに回転させて、樋２０の流入口２０１を水道の蛇口（図示せず）の下方に配置すれば、流入口２０１から樋２０の内部に水を流入させることができる。
【００４２】
そして、流入口２０１から樋２０の内部に流入された水は、供給口２０３を通過して、貯水タンク１９の内部に供給される。そして、貯水タンク１９内に水が溜められて、その貯水タンク１９内の水位がｌ2となると、樋２０に流入された水は流入口２０１から溢れ出す。また、ｌ2＜ｌ1とされているため、樋２０を介して貯水タンク１９内に水を供給した場合には、貯水タンク１９内に余分に供給された水は、オーバーフロー管２２からではなく、樋２０から溢れ出る。
【００４３】
なお、図７に示すように、貯水タンク１９の右側（図においては、左側）の樋取付け用孔１９６ｄから蓋２１を取外し、樋２０をその樋取付け用孔１９６ｄに取付けることもできる。このようにすれば、たとえば、流し台を正面からみて、食器洗い機１を、その正面が手前側となるようにして流し台の右側に設置した場合には、図７に示すように、樋２０を正面側からみて左回りに回転させて、樋２０の流入口２０１を水道の蛇口の下方に配置して、流入口２０１から樋２０の内部に水を流入させることができる。
【００４４】
なお、この場合は、樋２０が取付けられていない樋取付け用孔１９６ｄが、蓋によって塞がれていることが望ましい。
また、樋２０のパイプ取付突起２０５のパイプ取付孔２０６にパイプ等を取付け、そのパイプ等を介して樋２０の内部に水を流入させることもできる。この場合、パイプ取付孔２０６から樋２０（取付け部２０２）内部に流入された水は、供給口２０３を通過して、貯水タンク１９の内部に供給される。
【００４５】
再び、図２を参照して、貯水タンク１９には、たとえば、図示しないチューブの一端が接続されており、そのチューブの他端は、給水管２３の一端に接続されている。給水管２３の他端は、洗浄タンク７の後方面を貫通するように洗浄タンク７に接続されており、給水管２３には、給水ポンプ２４が設けられている。これにより、給水ポンプ２４が動作することにより、貯水タンク１９内の水が吸い上げられ、その水が給水管２３を介して洗浄タンク７内に供給される。
【００４６】
なお、貯水タンク１９は、樋２０を介してその内部に水を供給するだけでなく、直接供給開口１９６ａからその内部に水を供給することも可能である。
たとえば、食器洗い機１を、その正面面が流し台側を向くようにして流し台の横に設置した場合等は、前面壁１９１の把持部１９１ａを掴んで、貯水タンク１９を引き出すと、ローラー１９５ａが筐体２の底面上を転がり、貯水タンク１９が良好に引き出される。
【００４７】
そして、貯水タンク１９を引き出した状態で、第二蓋体１９６ｃの上面壁１９６との嵌合状態を外し、第一蓋体１９６ｂを回転させ、さらに、供給開口１９６ａが水道の蛇口の下方に位置するように貯水タンク１９を引き出せば、供給開口１９６ａから貯水タンク１９内に直接水を供給することができる。このとき、貯水タンク１９内の水の水位がｌ1となると、貯水タンク１９に供給された水は、オーバーフロー管２２の吸込み口２２ａに流入し、オーバーフロー管２２の排出口２２ｂから排出される。また、排出口２２ｂには、たとえば、図示しないチューブが接続されており、排出口２２ｂから排出される水は、そのチューブを介して流し台へと排出される。
【００４８】
そして、貯水タンク１９内に水を溜め、第一蓋体１９６ｂおよび第二蓋体１９６ｃにより供給開口１９６ａを覆い、貯水タンク１９を筐体２内に収容すると、上記と同様にして、貯水タンク１９内の水が洗浄タンク７内に供給される。
以上のように、本実施形態では、樋２０が、根元を中心に略水平方向に回動自在とされているので、食器洗い機１が流し台のまわりに設置された場合に、流入口２０１が水道の蛇口の下方に位置するように樋２０を回転させれば、樋２０を介して水道からの水を貯水タンク１９に供給することができる。すなわち、貯水タンク１９に水を溜める場合には樋２０を回転させればよいので、簡単に給水を行って貯水タンク１９に水を溜めることができる。また、水道の蛇口に分岐水栓や電磁弁を取付ける等の設置工事が不要となるので、手軽に設置することができる。
【００４９】
また、樋２０が、根元を中心に約１８０°回動し得るので、樋２０を広範囲にわたって回動させることができる。
また、樋２０は食器洗い機１を正面側からみて、左側または右側に付け替え可能であるので、確実に樋２０を介して貯水タンク１９に水を溜めることができる。たとえば、流し台を正面からみて、食器洗い機１を、その正面が手前側となるようにして流し台の左側に設置した場合には、樋２０を、（正面側からみて）食器洗い機１の右側に取付けることで、樋２０を回転させて、樋２０の流入口２０１を蛇口の下方に位置させることができる。同様に、食器洗い機１を、その正面が手前側となるようにして流し台の右側に設置した場合には、樋２０を、（正面側からみて）食器洗い機１の左側に取付けることで、樋２０を回転させて、樋２０の流入口２０１を蛇口の下方に位置させることができる。よって、確実に樋２０を介して貯水タンク１９に水を溜めることができる。
【００５０】
また、樋２０は、食器洗い機１を正面側からみて、貯水タンク１９と操作パネル５との間に設けられているので、樋２０を回転させた場合に、樋２０の流入口２０１を水道の蛇口の下方の高さ位置に良好に配置することができる。また、樋２０は、貯水タンク１９の上方に設けられているので、樋２０に水を供給することで、良好に貯水タンク１９に水を供給することができる。また、樋２０は、操作パネル５の下方に設けられているので、樋２０に水を供給した際に、樋２０を介して操作パネル５が濡れるのを防ぐことができる。
【００５１】
また、樋２０は、貯水タンク１９に直接に取付けられているので、部品点数をへらすことができ、コストを削減することができる。
また、貯水タンク１９は引き出し可能であるので、水道の蛇口が食器洗い機１から遠い位置に存在する場合でも、貯水タンク１９を引き出した状態で樋２０を回転させることで、樋２０の流入口２０１を水道の蛇口の下方に位置させることができる。よって、より確実に樋２０を介して貯水タンク１９に水を溜めることができる。
【００５２】
また、貯水タンク１９には供給開口１９６ａが形成されているので、貯水タンク１９を引き出して、貯水タンク１９の供給開口１９６ａを水道の蛇口の下方に位置させることで、水道から直接貯水タンク１９に水を供給することができる。
また、樋２０の取付け部２０２には、上方に突出するパイプ取付突起２０５が形成されており、そのパイプ取付突起２０５にパイプ取付孔２０６が形成されているので、パイプ等をパイプ取付突起２０５に被せるように装着することで、パイプ等をパイプ取付孔２０６に容易に取付けることができる。そして、そのパイプ等から流される水を、取付け部２０２を介して貯水タンク１９に供給することができる。
【００５３】
すなわち、樋２０は、水平方向に約１８０°回動可能であり、さらに、食器洗い機１を正面側からみて、左側または右側に付け替え可能であるので、樋２０を使用する場合には、樋２０を広範囲にわたって使用することができる。よって、食器洗い機１を柔軟に設置することができる。また、貯水タンク１９を引き出した状態で樋２０を回転させれば、樋２０をより広範囲にわたって使用することができるので、食器洗い機１をより柔軟に設置することができる。また、貯水タンク１９に直接水を供給したり、パイプ取付孔２０６を介してパイプ等から貯水タンク１９に水を供給したりすることもでき、貯水タンク１９に水を供給する手段が豊富に存在する。よって、食器洗い機１を設置するに際して柔軟な対応ができる。そのため、蛇口に分岐水栓や電磁弁を取付けるといった設置工事を不要とすることができ、使い勝手がよい。
【００５４】
また、樋２０を介して貯水タンク１９に水を供給する場合に、貯水タンク１９内に溜められた水の水位がｌ2となると、樋２０に流入された水は流入口２０１から溢れ出るので、貯水タンク１９に水が溜まったことを確実に認識することができる。よって、貯水タンク１９に水が溜められたことを検知するためのセンサー等を設ける必要がないので、その構成を簡易なものとすることができ、コストを削減することができる。
【００５５】
この発明は、以上説明した実施形態に限定されるものではなく、請求項記載の範囲内において種々の変更が可能である。
たとえば、本実施形態では、樋２０は、貯水タンク１９に直接に取付けられているとしたが、たとえば、食器洗い機１に樋取付け部が設けられ、その樋取付け部に樋２０を取付けて樋２０に水を供給することで、樋２０および樋取付け部を介して貯水タンク１９に水が供給されるものであってもよい。
【００５６】
また、本実施形態では、樋２０は、根元を中心に略水平方向に回動自在に取付けられているとしたが、樋２０の根元は固定して取付けられ、樋２０の途中部に略水平方向に回動自在な構成が付加され、この構成により、食器洗い機１の前方方向に樋２０が引き出せる構成であってもよい。
【図面の簡単な説明】
【００５７】
【図１】この発明の一実施形態にかかる食器洗い機の外観構成を示す斜視図である。
【図２】食器洗い機を前後方向に延びる鉛直面で切断して右方からみた状態を示す図である。
【図３】樋が取付けられた状態の貯水タンクの外観構成を示す斜視図である。
【図４】樋が取付けられた状態の貯水タンクの平面図である。
【図５】図４に示す貯水タンクを切断線Ａで切断した状態を示す図である
【図６】貯水タンクを筐体内に収容した状態で、樋を１８０°回転させた状態を示す斜視図である。
【図７】樋を他方の樋取付け用孔に取付けた状態の貯水タンクを示す斜視図である。
【符号の説明】
【００５８】
１      食器洗い機
３      上扉
４      下扉
５      操作パネル
７      洗浄タンク
１９    貯水タンク
２０    樋
１９６ａ  供給開口
２０１  流入口
２０３  供給口
２０５  パイプ取付突起
２０６  パイプ取付孔
【図１】
2006158523.tif 000003
【図２】
2006158523.tif 000004
【図３】
2006158523.tif 000005
【図４】
2006158523.tif 000006
【図５】
2006158523.tif 000007
【図６】
2006158523.tif 000008
【図７】
2006158523.tif 000009